(57)【要約】【課題】従来、資料ホルダーの見出しタグは、資料ホルダー長辺の見開き部についている、これは棚などに並べられる資料ホルダーのインデックスとしては適しているが、デスクの上に置いたトレイ等に積層保管する場合には視認しにくい。積層保管時に探しやすい見出しタグが課題である。【解決手段】樹脂シートからなる矩形状の資料ホルダーにおいて、短辺固着部に連結し前記固着部外側に透明な底部見出しタグ設ける。この横長の透明な見出しタグを等分し複数の枠を作り、複数枚の資料ホルダー毎に専用の枠を割りあてることにより、上から最下部の資料ホルダーの名称を見通すことができる。【選択図】図１
2018027619.tif 000002
【特許請求の範囲】
【請求項１】
樹脂シートからなる矩形状の資料ホルダーにおいて、短辺固着部の外側に装着した底部見出しタグ部を具備することを特徴とする資料ホルダー。
【請求項２】
樹脂シートからなる矩形状の資料ホルダーにおいて、短辺固着部に沿って高さ５〜３０ｍｍの透明或いは半透明の底部見出しタグ部が短辺固着部に沿って一部或いは全長に渡って設けられている事を特徴とする請求項１に記載した資料ホルダー。
【請求項３】
底部見出しタグ部が厚さ０．２〜１．０ｍｍの硬質樹脂シートであることを特徴とする請求項１又は請求項２に記載した資料ホルダー。
【発明の詳細な説明】
【技術分野】
【０００１】
本発明は、書類、パンフレット等を挟み込む樹脂シートからなる矩形状の資料ホルダーにあって、積層して保管、管理するときの見出し部に関するものである。
【背景技術】
【０００２】
通称クリアファイル又はクリアホルダーと呼ばれる樹脂シートからなる矩形状の資料ホルダーは、１長辺の縁は折り曲げ、１短辺の縁は固着され、他の２辺の縁は開放され、表および裏シートの間に資料、パンフレット等を挟み込める様形成されている。前記資料ホルダーは、資料等を汚さないで携行する或いは簡易的にまとめておくのに便利であるため広く普及している。
【０００３】
一方、このような資料ホルダーは、１枚から１０枚程度の資料を挟んでおくのに適しており一般に薄く、本の様に裏表紙に資料名を表示できない。このため保管、管理の目的から見出しタグや資料ホルダーの収納ケースに関して多くの工夫がなされている。しかしながら、一般的な保管方法として、短辺固着部を底に長辺折り曲げ部を奥側に、見開き部を手前側にして、書棚に並べる或いは長辺折り曲げ部を底に、見開き部を上側にしてボックス内に立てて保管管理する（立て置き保管と呼ぶ）、即ち見開き部を手前側にすることを前提としている。このため見出しタグ（見出しタブとも言う）は、見開き部にのみ設けられている（以下見開き見出しタグ部と呼ぶ）。ところが、前記資料ホルダーはデスクの上に置いたトレイに積層して保管、管理される場合も多い。
この場合、トレイには、資料ホルダーを、短辺固着部を手前にして積層されるのが普通である。このため、見開き見出しタグは横の奥に隠れ、資料ホルダー名を極めて視認しにくい。
【０００４】
特許文献１は、タグ付きクリアホルダーに関するもので、クリアホルダーの見開き部に見出しタグをつけ、立てて棚にならべた状態でクリアホルダーに入っている内容物を分別するものある。この方法は広く普及している。
【先行技術文献】
【特許文献】
【０００５】
【特許文献１】実登３１２７２６４号公報
【発明の開示】
【発明が解決しようとする課題】
【０００６】
従来、資料ホルダーの見出しタグは、資料ホルダーの見開き部の長辺に沿ってついている。これは立てて棚などに並べられる資料ホルダーの内容物を探すのには適しているが、デスクの上に置いたトレイ等に積層して保管、管理する場合には視認しにくく問題である。積層保管時、必要な資料ホルダーを容易に探し出すことができる見出しタグの考案が課題である。
【課題を解決するための手段】
【０００７】
請求項１の発明は、樹脂シートからなる矩形状の資料ホルダーにおいて、短辺固着部の外側に装着した底部見出しタグ部を具備することを特徴とする資料ホルダーである。
トレイ内に短辺固着部を手前にして資料ホルダーを積層保管した時、手前側に見出しタグがくるため、見出しタグに書かれた内蔵物（資料）の名称が見やすく資料を探す手間が大幅に軽減できる。
【０００８】
請求項２の発明は、樹脂シートからなる矩形状の資料ホルダーにおいて、短辺固着部に沿って高さ５〜３０ｍｍの透明或いは半透明の底部見出しタグ部が短辺固着部に沿って一部或いは全長に渡って設けられている事を特徴とする請求項１に記載した資料ホルダーである。
前記透明或いは半透明な見出しタグ部には、例えば短辺に沿って等分に分割する縦の目盛り線を描き、見出しタグ部に短辺に沿って幅４０ｍｍ程度の複数の枠をつくり、資料ホルダー毎に一つの枠を割り振り、この枠内に資料名を書き入れる。この際、複数枚の資料ホルダーを重ねた時、透けて見えるように資料ホルダー毎の専用枠を選ぶことにより、上から最下部の資料ホルダーの名称を見通すことができる。
【０００９】
請求項３の発明は、底部見出しタグ部が厚さ０．２〜１．０ｍｍの硬質樹脂シートであることを特徴とする請求項１、又は請求項２に記載した資料ホルダーである。
本考案によれば、複数枚の資料ホルダーを立てて揃える時、底部見出しタグ部が折れ曲がることがなく、容易にそろえることができる。
【発明の効果】
【００１０】
トレイに資料ホルダーを積層して保管、管理するとき短辺固着部を手前にするのが一般的である。何故なら、見開き部を手前にすると、資料ホルダーの中身がはみ出し手前側が乱雑になる他、内容物がトレイからはみ出し落下の危険がある。
樹脂シートからなる矩形状の資料ホルダーをトレイに積層した後、そのトレイ内にある資料ホルダーを分別するか、探しだす際、底部見出しタグ部がトレイの手前側にあるため、底部見出しタグ部がない場合と比較して上から見て容易に探し出すことができるので、格段に分別しやすい。何故なら底部見出しタグ部がない複数枚の資料ホルダーをトレイに積層保管する際、従来からある見開き部見出しタグは、トレイの奥側、あるいは横側に存在することになるためトレイの壁および複数枚の資料ホルダー自身により視界が遮られ極めて探しにくい。
又、積層保管の場合、底部見出しタグ部が透明であるため、資料ホルダー毎に短辺長手方向へずらして設けられた各資料ホルダーに該当する底部タグ（枠）に書かれた見出しが最下部まで透視できる。
更に底部見出しタグ部が厚みのある硬質樹脂シートで作られているため、複数枚の資料ホルダーを立てて揃える際折れ曲がることがなく底部見出しタグ部を正確にそろえることができる。これにより複数枚の資料ホルダーの各資料ホルダーに該当する底部タグ（枠）に書かれた見出しを、最上部から最下部まで透視することができる。
【発明を実施するための形態】
【００１１】
本発明の資料ホルダー１の斜視図を図１に、図１の右側面図を図２に、図２の一部拡大図を図３に、資料ホルダー１の平面図を図４に、積層保管の説明図１を図５に、積層保管の説明図２を図６に示す。
【００１２】
資料ホルダー１を図１から図５により詳述する。
図１に示すよう、本発明による資料ホルダー１は、裏シート２と表シート３から成り、両者は折り曲げ辺４にて一長辺が、固着部５にて一短辺が結合されている。又、図２、図３に示すように裏シート２は固着部５に連結して表シート３より５〜３０ｍｍ長く、固着部５に沿って底部見出しタグ部６を形成している。
尚、固着部５に連結する底部見出しタグ部６の高さは、高すぎると資料ホルダーの長辺の全長が長くなりすぎてカバン等への収納に問題をきたすことがある。又あまり短すぎると資料名が視認しにくいため、５〜３０ｍｍ程度がよく、実施例では１０ｍｍとした。又、図４に示すように底部見出タグ部６には、固着部５に沿って、短辺を等分する目盛り線７が描かれている。この目盛り線７で作られる長方形の枠を左から底部タグＡ２１、底部タグＢ２２，底部タグＣ２３、底部タグＤ２４，底部タグＥ２５と呼ぶ。又、上記の場合少なくとも裏シート２には、透明或いは半透明の樹脂シートが使われている。
【００１３】
次に資料ホルダー１の使用法について図５、図６にて説明する。
資料ホルダー１は複数枚を１セットとして使われる。ここでは、資料ホルダー１と同等の資料ホルダーＡ１１から資料ホルダーＥ１５の５枚を１セットとして説明する。
資料ホルダーＡ１１の見出しは、資料ホルダーＡ１１の底部タグＡ２１に記載される。図５では底部見出しタグ部６の高さ分ずつ長辺方向へずらして重ねられた資料ホルダーＡ１１から資料ホルダーＥ１５のそれぞれの底部タグＡ２１から底部タグＥ２５順に見出しとしてＡ，Ｂ，Ｃ，Ｄ、Ｅと記した。実際にはこの見出しは各資料ホルダーに内蔵する資料名等を記す。これらの資料ホルダーは図６の様に短辺および長辺がそろえられ、トレイ９等に積層保管される。
この時、底部見出しタグ部６は透明或いは半透明であるため、最上部の資料ホルダーＡ１１の底部タグＡ２１に記したＡのみでなく、下部にある資料ホルダーＢ１２から資料ホルダーＥ１５の底部タグＢ２２から底部タグＥ２５に記したＢ，Ｃ，Ｄ、Ｅも透けて視認できる。
【００１４】
本説明図では、底部見出しタグ部６を短辺方向へ５分割にした。この場合、Ａ４資料ホルダーの場合、一つのタグの短辺に沿った幅は約４０ｍｍであり、資料名を記すには適当といえる。この例では、最多で５枚の資料ホルダーを上から識別することができる。更に多くの資料ホルダーを積層して保管、管理する場合には、５枚セットごとに底部見出しタグ部６の周囲に異なる色を付ける等セット毎に識別可能な目印をつけることにより解決できる。例えば、５枚ごとに赤、黄色、青の三色の線を底部見出しタグ部６の周囲或いは一部に描いておき（図示せず）、同じ色の資料ホルダー（５枚）をセットで３段に重ね置きする。資料探しの時には同じ色の資料ホルダー毎にセットで段違いに引きせば、セット毎に上から視認にすることができる。これを３回行うことにより、１５種類の資料ホルダーの中から目的とする資料ホルダーを探し出すことができる。
【００１５】
尚、底部タグＡ２１から底部タグＥ２５は、５枚セットの資料ホルダー一枚ごとに短辺長さ方向の場所をずらしながら凸状に個別に設けても良い。この場合、底部タグＡ２１から底部タグＥ２５は不透明でも良いという長所はある。一方資料ホルダーを携帯するときは５枚セットでなくそのうちの一枚または複数枚となるため、例えば短辺底部から底部タグＡ２１と底部タグＣ２３が，凸状につきでることになるため、カバンの中で突起部が邪魔になる他、複数枚をそろえ難いなどの欠点もある。
尚、上記説明では、一セット５枚としたが、見出しタグ部の底辺に沿った分割数により１セット当たりの資料ホルダーの枚数は異なる。
又、資料ホルダー１は、底部見出しタグ部６のみ別途製作し、既製の資料ホルダーに粘着テープ等により連結しても同等の機能を持たせることができる。このため、この方法も本発明の範疇とする。
【産業上の利用可能性】
【００１６】
広く普及している資料ホルダーに比べて、格段に整理、管理しやすい資料ホルダーを提供できる。特にトレイ等に積層保管する場合に効果的である。
【図面の簡単な説明】
【００１７】
【図１】資料ホルダーの斜視図である。
【図２】図１の右側面図である。
【図３】図２の一部拡大図である。
【図４】資料ホルダー平面図である。
【図５】積層保管の説明図１である。
【図６】積層保管の説明図２である。
【符号の説明】
【００１８】
１：資料ホルダー１
２：裏シート
３：表シート
４：折り曲げ辺
５：固着部
６：底部見出しタグ部
７：目盛り線
８：見開き見出しタグ部
９：トレイ
１１：資料ホルダーＡ
１２：資料ホルダーＢ
１３：資料ホルダーＣ
１４：資料ホルダーＤ
１５：資料ホルダーＥ
２１：底部タグＡ
２２：底部タグＢ
２３：底部タグＣ
２４：底部タグＤ
２５：底部タグＥ
【図１】
2018027619.tif 000003
【図２】
2018027619.tif 000004
【図３】
2018027619.tif 000005
【図４】
2018027619.tif 000006
【図５】
2018027619.tif 000007
【図６】
2018027619.tif 000008